(57)【要約】【課題】無線装置（RE）と無線装置制御装置（REC）との間において、RE及びRECが送受信するフレームを中継する場合において、当該フレームによって送受信される情報の伝送遅延を低減できる無線基地局システム及び中継装置を提供する。【解決手段】中継装置１００は、ＲＥ３０からHyper Frame（HFN）を受信した場合、受信したHyper Frameに含まれる制御用情報などの所定の情報を、中継装置１００からＲＥＣ２１に送信されるHyper Frameに含めて送信する。具体的には、中継装置１００は、ＲＥ３０からHyper Frameを受信した時点から所定時間内にＲＥＣ２１に送信されるHyper Frameに当該情報を含めて送信する。また、ＲＥ３０は、ＲＥ３０とＲＥＣ２１とが直接接続される場合におけるHyper Frameの送信周期よりも早い周期でHyper Frameを中継装置１００に送信する。【選択図】図６
2011130182.tif 000002
【特許請求の範囲】
【請求項１】
移動局と無線信号を送受信する無線装置と、
前記無線装置と、無線通信方式が異なる複数の無線装置制御装置とに接続可能であり、前記無線装置と前記無線装置制御装置との間で送受信されるフレームに含まれる所定の情報を中継する中継装置と
を含む無線基地局システムであって、
前記無線装置と前記中継装置との間、及び前記中継装置と前記無線装置制御装置との間で送受信される前記フレームは、それぞれ独立した同期タイミングで動作し、
前記無線装置は、前記無線装置と前記無線装置制御装置とが直接接続される場合における前記フレームの送信周期よりも早い周期で前記フレームを前記中継装置に送信するフレーム送信部を備え、
前記中継装置は、前記無線装置から前記フレームを受信した場合、受信した前記フレームに含まれる前記所定の情報を、前記中継装置から前記無線装置制御装置に送信される前記フレームに含めて送信する中継処理部を備え、
前記中継処理部は、前記無線装置から前記フレームを受信した時点から所定時間内に前記無線装置制御装置に送信される前記フレームに前記所定の情報を含めて送信する無線基地局システム。
【請求項２】
移動局と無線信号を送受信する無線装置と、
前記無線装置を制御し、無線通信方式が異なる複数の無線装置制御装置と
に接続可能であり、前記無線装置と前記無線装置制御装置との間で送受信されるフレームに含まれる所定の情報を中継する中継装置であって、
前記無線装置と前記中継装置との間、及び前記中継装置と前記無線装置制御装置との間で送受信される前記フレームは、それぞれ独立した同期タイミングで動作し、
前記中継装置は、前記無線装置から前記フレームを受信した場合、受信した前記フレームに含まれる前記所定の情報を、前記中継装置から前記無線装置制御装置に送信される前記フレームに含めて送信する中継処理部を備え、
前記中継処理部は、前記無線装置から前記フレームを受信した時点から所定時間内に前記無線装置制御装置に送信される前記フレームに前記所定の情報を含めて送信する中継装置。
【請求項３】
前記中継処理部は、前記無線装置から前記フレームを受信した時点以降において最も早く前記無線装置制御装置に送信される前記フレームに前記所定の情報を含めて送信する請求項２に記載の中継装置。
【発明の詳細な説明】
【技術分野】
【０００１】
本発明は、無線装置と、無線通信方式が異なる複数の無線装置制御装置とに接続可能な中継装置を含む無線基地局システム及び中継装置に関する。
【背景技術】
【０００２】
近年、移動局と無線信号を送受信する無線装置（RE）と、当該無線装置の制御などを実行する無線装置制御装置（REC）との間におけるインタフェース仕様が、Common Public Radio Interface（CPRI）によって標準化されている（例えば、非特許文献１参照）。当該インタフェース仕様に従えば、異なるベンダーによって製造されたREとRECとを容易に接続できる互換性を確保できる。
【０００３】
ところで、移動体通信システムでは、新たな無線通信方式への移行過渡期において、これまでの無線通信方式に従ったシステム、例えば、3GPPにおいて規定される第３世代移動体通信システム（以下、3G）と、新たな無線通信方式に従ったシステム、例えば、3GPPにおいて規定されるLong Term Evolution（以下、LTE）とが併存する時期が発生する。
【０００４】
この場合、REは3GとLTEとで共用できるにもかかわらず、RECは各システム専用であるため、上述したCPRIに従ってREとRECとを接続しようとすると、3Gに対応したRE/RECの系統と、LTEに対応したRE/RECの系統をそれぞれ用意しなければならず、REを効率的に活用できない問題がある。
【０００５】
そこで、REと、各システムに対応した複数のRECとの間に中継装置（CPRI-MUX）を設けた無線基地局システムが検討されている。
【先行技術文献】
【非特許文献】
【０００６】
【非特許文献１】CPRI Specification V4.0、［online］、２００８年６月３０日、［平成２１年４月１日検索］、インターネット＜URL：http://www.cpri.info/downloads/CPRI_v_4_0_2008-06-30.pdf＞
【発明の概要】
【発明が解決しようとする課題】
【０００７】
ところが、上述したような中継装置を設けた場合、REC〜中継装置間、及び中継装置〜RE間は、それぞれ独立した同期タイミングでフレームが送受信されるため、同期タイミングのずれ量によっては、REC〜RE間で送受信される情報に大きな遅延が発生する問題がある。
【０００８】
図１（ａ）及び（ｂ）は、REC〜RE間で送受信される情報に遅延が生じる説明する図である。
【０００９】
図１（ａ）は、CPRIに従って直接接続されたREC〜RE間において送受信されるフレームのタイミングを示す。図１（ａ）に示すように、無線装置制御装置２１（以下、ＲＥＣ２１）は、無線装置３０p（以下、ＲＥ３０ｐ）にHyper Frame（HFN）を順次送信する。Hyper Frameの周期は、66.67マイクロ秒であり、Node B Frame（BFN）は、150Hyper Frameで構成される。また、R1〜R4は、ＲＥＣ２１からの出力、ＲＥ３０ｐへの入力、ＲＥ３０ｐからの出力、及びＲＥＣ２１への入力をそれぞれ示す。
【００１０】
ＲＥ３０ｐは、ＲＥＣ２１からHyper Frameを受信（例えば、BFN#85 HFN#0）すると、内部で必要な処理を実施し、受信したHyper Frameに対応するHyper Frame（BFN#85 HFN#0）をＲＥＣ２１に送信する。
【００１１】
Hyper Frameの送受信に伴って、ＲＥＣ２１〜ＲＥ３０ｐ間の伝送遅延（T12及びT34）及びＲＥ３０ｐの処理遅延（Toffset）が発生するため、ＲＥＣ２１が送受信する特定のHyper Frameについて、一定のタイミング差（T14）が発生する。
【００１２】
一方、図１（ｂ）は、ＲＥＣ２１とＲＥ３０ｐとの間において、当該Hyper Frameに含まれる所定の情報（例えば、制御用情報）を中継する中継装置１００ｐを設けた場合において、REC〜RE間において送受信されるフレームのタイミングを示す。図１（ｂ）に示すように、ＲＥＣ２１が送信したHyper Frame及びＲＥ３０ｐが送信したHyper Frameに含まれる当該情報は中継装置１００ｐで中継されるため、中継装置１００ｐでの中継処理に伴う遅延、及びＲＥＣ２１〜中継装置１００ｐ間と、中継装置１００ｐ〜ＲＥ３０ｐ間との同期タイミングのずれに伴う遅延（図中のCPRI-MUX内遅延）が発生する。
【００１３】
なお、RB1〜RB4は、中継装置１００ｐからＲＥ３０ｐへの出力、ＲＥＣ２１から中継装置１００ｐへの入力、中継装置１００ｐからＲＥＣ２１からの出力、及びＲＥ３０ｐから中継装置１００ｐへの入力をそれぞれ示す。
【００１４】
このCPRI-MUX内遅延は、ＲＥＣ２１〜中継装置１００ｐ間と、中継装置１００ｐ〜ＲＥ３０ｐ間との同期タイミングのずれ量によって異なるが、最大Hyper Frameの１周期分、つまり、１０ミリ秒となり、情報の種別（例えば、制御用情報）によっては無視できない量となる。例えば、中継装置１００ｐがBFN#1 HFN#0において受信した情報（図中の矢印Ｔの位置）は、ＲＥＣ２１に送信されるBFN#85 HFN#0では送信できず、次の周期のHyper Frame（BFN#85 HFN#1）で送信されることとなる。
【００１５】
そこで、本発明は、無線装置（RE）と無線装置制御装置（REC）との間において、RE及びRECが送受信するフレームを中継する場合において、当該フレームによって送受信される情報の伝送遅延を低減できる無線基地局システム及び中継装置の提供を目的とする。
【課題を解決するための手段】
【００１６】
上述した問題を解決するため、本発明は、次のような特徴を有している。まず、本発明の第１の特徴は、移動局（移動局２００）と無線信号（無線信号ＲＳ）を送受信する無線装置（無線装置３０）と、前記無線装置と、無線通信方式が異なる複数の無線装置制御装置（無線装置制御装置２１，２２）とに接続可能であり、前記無線装置と前記無線装置制御装置との間で送受信されるフレーム（Hyper Frame）に含まれる所定の情報（例えば、制御用情報）を中継する中継装置（中継装置１００）とを含む無線基地局システム（無線基地局システム１０）であって、前記無線装置と前記中継装置との間、及び前記中継装置と前記無線装置制御装置との間で送受信される前記フレームは、それぞれ独立した同期タイミングで動作し、前記無線装置は、前記無線装置と前記無線装置制御装置とが直接接続される場合における前記フレームの送信周期（66.67マイクロ秒）よりも早い周期で前記フレームを前記中継装置に送信するフレーム送信部（フレーム送受信部３３）を備え、前記中継装置は、前記無線装置から前記フレームを受信した場合、受信した前記フレームに含まれる前記所定の情報を、前記中継装置から前記無線装置制御装置に送信される前記フレームに含めて送信する中継処理部（中継処理部１０７）を備え、前記中継処理部は、前記無線装置から前記フレームを受信した時点から所定時間内に前記無線装置制御装置に送信される前記フレームに前記所定の情報を含めて送信することを要旨とする。
【００１７】
本発明の第２の特徴は、移動局と無線信号を送受信する無線装置と、前記無線装置を制御し、無線通信方式が異なる複数の無線装置制御装置とに接続可能であり、前記無線装置と前記無線装置制御装置との間で送受信されるフレームに含まれる所定の情報を中継する中継装置であって、前記無線装置と前記中継装置との間、及び前記中継装置と前記無線装置制御装置との間で送受信される前記フレームは、それぞれ独立した同期タイミングで動作し、前記中継装置は、前記無線装置から前記フレームを受信した場合、受信した前記フレームに含まれる前記所定の情報を、前記中継装置から前記無線装置制御装置に送信される前記フレームに含めて送信する中継処理部を備え、前記中継処理部は、前記無線装置から前記フレームを受信した時点から所定時間内に前記無線装置制御装置に送信される前記フレームに前記所定の情報を含めて送信することを要旨とする。
【００１８】
本発明の第３の特徴は、本発明の第１の特徴に係り、前記中継処理部は、前記無線装置から前記フレームを受信した時点以降において最も早く前記無線装置制御装置に送信される前記フレームに前記所定の情報を含めて送信することを要旨とする。
【発明の効果】
【００１９】
本発明の特徴によれば、無線装置（RE）と無線装置制御装置（REC）との間において、RE及びRECが送受信するフレームを中継する場合において、当該フレームによって送受信される情報の伝送遅延を低減できる無線基地局システム及び中継装置を提供することができる。
【図面の簡単な説明】
【００２０】
【図１】REC〜RE間で送受信される情報に遅延が生じる説明する図である。
【図２】本発明の実施形態に係る無線基地局システム１０の全体概略構成図である。
【図３】本発明の実施形態に係る中継装置１００の機能ブロック構成図である。
【図４】本発明の実施形態に係る無線装置３０の機能ブロック構成図である。
【図５】本発明の実施形態において用いられるプロトコルスタックを示す図である。
【図６】本発明の実施形態に係る中継装置１００を介してＲＥＣ２１〜ＲＥ３０間において送受信されるフレームのタイミングを示す図である。
【図７】本発明の実施形態に係る中継装置１００がHyper Frameに含まれる所定の情報（制御用情報など）を中継する動作を示す図である。
【発明を実施するための形態】
【００２１】
次に、本発明の実施形態について説明する。具体的には、（１）無線基地局の全体概略構成、（２）中継装置の機能ブロック構成、（３）無線装置の機能ブロック構成、（４）中継装置の動作、（５）作用・効果、及び（６）その他の実施形態について説明する。
【００２２】
なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきものである。また、図面相互間においても互いの寸法の関係や比率が異なる部分が含まれていることは勿論である。
【００２３】
（１）無線基地局の全体概略構成
図２は、本実施形態に係る無線基地局システム１０の全体概略構成図である。図２に示すように、無線基地局システム１０は、無線装置制御装置２１（以下、ＲＥＣ２１）、無線装置制御装置２２（ＲＥＣ２２）及び無線装置３０（以下、ＲＥ３０）及び中継装置１００（CPRI-MUX）によって構成される。
【００２４】
ＲＥＣ２１は、3GPPにおいて規定される第３世代移動体通信システム（3G）に従い、ＲＥ３０を制御する。ＲＥＣ２２は、3GPPにおいて規定されるLong Term Evolution（LTE）に従い、ＲＥ３０を制御する。
【００２５】
ＲＥ３０は、移動局２００と、規定された周波数帯域（例えば、2GHz帯）の無線信号ＲＳを送受信する。具体的には、ＲＥ３０は、ＲＥＣ２１またはＲＥＣ２２からの制御に基づいて、移動局２００に無線信号ＲＳを送信するとともに、移動局２００から無線信号ＲＳを受信する。
【００２６】
ＲＥＣ２１、ＲＥＣ２２及びＲＥ３０の機能やインタフェース仕様は、Common Public Radio Interface（CPRI）によって規定されている。
【００２７】
中継装置１００は、光インタフェースを用いた物理回線（光回線）または電気インタフェースを用いた物理回線（電気回線）を介して、ＲＥＣ２１及びＲＥＣ２２とそれぞれ接続される。また、中継装置１００は、光回線または電気回線を介して、ＲＥ３０と接続される。
【００２８】
中継装置１００は、ＲＥ３０〜ＲＥＣ２１間、及びＲＥ３０〜ＲＥＣ２２間で送受信されるフレーム、具体的には、Hyper Frameに含まれる所定の情報を中継する。Hyper Frameの周期は、66.67マイクロ秒であり、１５０個のHyper FrameによってひとつのNode B Frame（BFN）が構成される。ＲＥ３０〜中継装置１００間、及び中継装置１００〜ＲＥＣ２１，２２間で終端されるHyper Frame及びBFNは、それぞれ独立した同期タイミングで動作する。つまり、ＲＥ３０〜中継装置１００間、及び中継装置１００〜ＲＥＣ２１，２２間において送受信されるHyper Frameは、非同期である。また、ＲＥ３０〜中継装置１００間に設定される論理リンク（ＲＥ側リンク）は、ＲＥ３０〜ＲＥＣ２１間、及びＲＥ３０〜ＲＥＣ２２間で送受信されるHyper Frameの伝送によって共用される。
【００２９】
（２）中継装置の機能ブロック構成
図３は、中継装置１００の機能ブロック構成図である。図３に示すように、中継装置１００は、ＲＥＣ接続部１０１、ＲＥＣ接続部１０３、ＲＥ接続部１０５及び中継処理部１０７、情報検出部１０９、及びＲＥＣ報告部１１１を備える。
【００３０】
ＲＥＣ接続部１０１は、ＲＥＣ２１と接続される。具体的には、ＲＥＣ接続部１０１は、ＲＥＣ２１〜中継装置１００間に設定された論理リンク（ＲＥＣ側リンク）を介して、ＲＥＣ２１と接続する。
【００３１】
ＲＥＣ接続部１０３は、ＲＥＣ２２と接続される。具体的には、ＲＥＣ接続部１０３は、ＲＥＣ２１〜中継装置１００間に設定された論理リンク（ＲＥＣ側リンク）を介して、ＲＥＣ２２と接続する。
【００３２】
ＲＥ接続部１０５は、ＲＥ３０と接続される。具体的には、ＲＥ接続部１０５は、ＲＥ３０〜中継装置１００間に設定された論理リンク（ＲＥ側リンク）を介して、ＲＥ３０と接続する。
【００３３】
中継処理部１０７は、ＲＥＣ２１及びＲＥＣ２２が送信したHyper Frameに含まれる所定の情報をＲＥ３０に中継する。また、中継処理部１０７は、ＲＥ３０が送信したHyper FrameをＲＥＣ２１またはＲＥＣ２２に中継する。
【００３４】
ここで、図５は、本実施形態において用いられるプロトコルスタックを示す。図５に示すように、レイヤ３レベルとして、「ユーザプレーン情報用領域」、「コントロール＆マネージメントプレーン情報用領域」及び「同期（ＳＹＮＣ）情報用領域」が設けられる。
【００３５】
また、レイヤ２レベルとして、「ＩＱデータ用領域」、「ベンダー独自データ用領域」、「イーサネット（登録商標）データ用領域」、「ＨＤＬＣデータ用領域」及び「Ｌ１インバンドプロトコルデータ用領域」が設けられる。
【００３６】
さらに、レイヤ１レベルとして、時分割多重や、電気伝送或いは光伝送用のプロトコル（インタフェース）が設けられる。なお、図５に示したプロトコルスタックは、CPRIのSpecification（http://www.cpri.info/downloads/CPRI_v_4_0_2008-06-30.pdf参照）にて規定されている。
【００３７】
中継装置１００は、ＲＥ３０からHyper Frameを受信した場合、受信したHyper Frameに含まれる所定の情報（例えば、コントロール＆マネージメントプレーン情報用領域によって送受信される制御用情報）を、中継装置１００からＲＥＣ２１またはＲＥＣ２２に送信されるHyper Frameに含めて送信する。具体的には、中継処理部１０７は、ＲＥ３０からHyper Frameを受信した時点から所定時間内にＲＥＣ２１（ＲＥＣ２２、以下同）に送信されるHyper Frameに当該情報を含めて送信する。
【００３８】
中継処理部１０７が当該情報を含めてＲＥＣ２１に送信するHyper Frameは、ＲＥ３０から中継装置１００に送信されるHyper Frameの送信周期（フレーム伝送速度）によるが、ＲＥＣ２１での当該情報の処理に問題が発生しない遅延量を考慮して決定すればよい。本実施形態では、中継処理部１０７は、ＲＥ３０からHyper Frameを受信した時点以降において最も早くＲＥＣ２１に送信されるHyper Frameに当該情報を含めて送信する。具体的には、中継処理部１０７は、ＲＥＣ報告部１１１から通知された当該情報の内容をＲＥＣ２１に送信されるHyper Frameの所定位置に割り当てる。
【００３９】
情報検出部１０９は、ＲＥ接続部１０５がＲＥ３０から受信したHyper Frameに含まれる所定の情報（例えば、上述した制御用情報）を検出する。情報検出部１０９は、検出した当該情報の内容をＲＥＣ報告部１１１に通知する。
【００４０】
ＲＥＣ報告部１１１は、情報検出部１０９から報告された当該情報の内容を中継処理部１０７に通知する。このようなＲＥＣ報告部１１１の処理によって、ＲＥ３０から受信した当該情報の内容がHyper Frameを用いてＲＥＣ２１（ＲＥＣ２２）に報告される。
【００４１】
（３）無線装置の機能ブロック構成
図４は、無線装置３０（ＲＥ３０）の機能ブロック構成図である。図４に示すように、ＲＥ３０は、無線通信部３１、フレーム送受信部３３及び接続部３５を備える。
【００４２】
無線通信部３１は、ＲＥＣ２１（ＲＥＣ２２）からの制御に基づいて、移動局２００（図１参照）と無線通信を実行する。
【００４３】
フレーム送受信部３３は、中継装置１００とHyper Frameを送受信する。また、フレーム送受信部３３は、Hyper Frameに含まれる各種情報の処理を実行する。本実施形態において、フレーム送受信部３３は、フレーム送信部を構成する。
【００４４】
また、本実施形態では、フレーム送受信部３３は、CPRIで規定されるHyper Frameの送信周期（66.67マイクロ秒）よりも早い周期でHyper Frameを中継装置１００に送信する。つまり、フレーム送受信部３３が送信するHyper Frameの送信周期は、ＲＥ３０とＲＥＣ２１（ＲＥＣ２２）とが直接接続される場合における送信周期よりも早く、ＲＥ側リンクにおいて単位時間当たりに送信されるHyper Frameの数は、ＲＥＣ側リンクよりも多い。
【００４５】
接続部３５は、中継装置１００と接続される。具体的には、接続部３５は、ＲＥ３０〜中継装置１００間に設定されたＲＥ側リンクを介して、中継装置１００と接続する。
【００４６】
（４）中継装置の動作
図６は、中継装置１００を介してＲＥＣ２１〜ＲＥ３０間において送受信されるフレームのタイミングを示す。上述した従来の中継装置１００ｐによる中継（図１（ｂ）参照）と比較すると、本実施形態では、中継装置１００がＲＥ３０から受信したHyper Frameに含まれる所定の情報（制御用情報など）は、大きく遅延することなくＲＥＣ２１に送信される。なお、図６には示されていないが、ＲＥＣ２２〜ＲＥ３０間についても同様の動作が実行される。
【００４７】
例えば、中継装置１００がBFN#1 HFN#0において受信した情報（図中の矢印Ｔの位置）は、ＲＥＣ２１に送信されるBFN#85 HFN#0で送信される。このような遅延を低減した情報の中継は、（ａ）ＲＥ３０がHyper Frameの送信周期を早めたこと、及び（ｂ）中継装置１００がＲＥ３０からHyper Frameを受信した時点以降において最も早くＲＥ３０に送信されるHyper Frameに当該情報を含めて送信することによって達成される。
【００４８】
ここで、図７を参照して、中継装置１００の中継動作についてさらに説明する。図７は、中継装置１００がHyper Frameに含まれる所定の情報（制御用情報など）を中継する動作を示す。図７に示すように、ＲＥＣ２１〜中継装置１００間では、周期ＩＮＴ１（66.67マイクロ秒）でHyper Frameが送受信される。一方、ＲＥ３０〜中継装置１００間では、周期ＩＮＴ２でHyper Frameが送受信される。本実施形態では、周期ＩＮＴ１は、周期ＩＮＴ２よりも短く設定される。このため、ＲＥ３０〜中継装置１００間におけるHyper Frameの送信周期は、ＲＥＣ２１〜中継装置１００間におけるHyper Frameの送信周期よりも早くなる。
【００４９】
ステップＳ１０において、中継装置１００は、ＲＥＣ２１からHyper Frameを受信すると、受信したHyper Frameに含まれる情報のうち、中継が必要な情報をＲＥ３０に送信されるHyper Frameに含める。この時点で、ＲＥＣ２１〜中継装置１００間の伝送遅延（T12（1））及びCPRI-MUX内遅延が発生する。
【００５０】
ステップＳ２０において、中継装置１００は、中継が必要な情報を含むHyper FrameをＲＥ３０に送信する。ＲＥ３０は、中継装置１００からHyper Frameを受信すると、受信したHyper Frameに含まれる情報の処理を実行する。この時点で、上述した遅延に加え、中継装置１００〜ＲＥ３０間の伝送遅延（T12（2））及びＲＥ３０の処理遅延（Toffset）が発生する。
【００５１】
ステップＳ３０において、ＲＥ３０は、ＲＥＣ２１から受信した情報の応答などを含むHyper Frameを中継装置１００に送信する。中継装置１００は、ＲＥ３０からHyper Frameを受信すると、受信したHyper Frameに含まれる情報のうち、中継が必要な情報をＲＥＣ２１に送信されるHyper Frameに含める。この時点で、ＲＥ３０〜中継装置１００間の伝送遅延（T34（2））及びCPRI-MUX内遅延が発生する。
【００５２】
ステップＳ４０において、中継装置１００は、中継が必要な情報を含むHyper FrameをＲＥＣ２１に送信する。ＲＥＣ２１は、中継装置１００からHyper Frameを受信する。この時点で、上述した遅延に加え、中継装置１００〜ＲＥＣ２１間の伝送遅延（T34（1））が発生し、合計の遅延量（T14）、つまり、送受信するHyper Frameについての一定のタイミング差が発生する。
【００５３】
ここで、仮に周期ＩＮＴ２が周期ＩＮＴ１と同様であった場合、T14の値はさらに大きくなり、特定の情報の送受信に伴う遅延が増大する可能性が高い。また、ＲＥ３０からHyper Frameを受信した時点から所定時間内にＲＥＣ２１に送信されるHyper Frameに当該情報を含めて送信できないと、やはり当該情報の送受信に伴う遅延が増大する可能性が高い。中継装置１００によれば、このような遅延の増大を回避できる。
【００５４】
（５）作用・効果
中継装置１００では、上述した（ａ）ＲＥ３０がHyper Frameの送信周期を早めたこと、及び（ｂ）中継装置１００がＲＥ３０からHyper Frameを受信した時点以降において最も早くＲＥ３０に送信されるHyper Frameに当該情報を含めて送信することによって、Hyper Frameを介してＲＥＣ２１〜ＲＥ３０間で送受信される情報の伝送遅延を低減できる。
【００５５】
特に、本実施形態では、上述した（ｂ）によって、当該情報の伝送遅延を効果的に抑制できる。
【００５６】
（６）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００５７】
例えば、上述した本発明の実施形態では、3GとLTEとを例として説明したが、本発明の適用範囲は、これらのシステムに限定されるものではない。例えば、WiMAXなどの無線通信システムにも本発明を適用できる。
【００５８】
また、中継装置１００の機能は、ハードウェアによって実現されてもよいし、プロセッサによって実行されるソフトウェアモジュールによって実現されてもよい。或いは、ハードウェアとソフトウェアの組み合わせによって実現されてもよい。
【００５９】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００６０】
１０…無線基地局、２１，２１ｐ，２２…無線装置制御装置（ＲＥＣ）、３０，３０ｐ…無線装置（ＲＥ）、１００，１００ｐ…中継装置、１０１，１０３…ＲＥＣ接続部、１０５…ＲＥ接続部、１０７…中継処理部、１０９…情報検出部、１１１…ＲＥＣ報告部、ＲＳ…無線信号
【図１】
2011130182.tif 000003
【図２】
2011130182.tif 000004
【図３】
2011130182.tif 000005
【図４】
2011130182.tif 000006
【図５】
2011130182.tif 000007
【図６】
2011130182.tif 000008
【図７】
2011130182.tif 000009